(57)【要約】【課題】全体をコンパクトにしポケットやペンケース等への収納が容易となり、また、不用意な操作部の押圧を回避でき、しかも、優れた外観デザインを得ることができる多芯筆記具を提供する。【解決手段】軸筒２が、大面積を有する一対の大側壁２１と小面積を有する一対の小側壁２２とを備えた扁平状である。軸筒２の内部に２本の筆記体６を前後方向に移動可能に収容する。各々の筆記体６の後端に操作体７を連結する。各々の操作体７が、操作部７１と、該操作部７１の反対側に形成される前側突出部７２及び後側突出部７３とを備える。軸筒２内壁に、ペン先突出時の筆記体６の操作体７の後端が係止される係止壁部４３を設ける。各々の操作体７の操作部７１を軸筒２の側壁の窓孔４１から外方に突出させ、操作体７の操作部７１を窓孔４１に沿って前後方向に移動可能とする。【選択図】  図１
2010264660.tif 000002
【特許請求の範囲】
【請求項１】
軸筒が、大面積を有する一対の大側壁と小面積を有する一対の小側壁とからなる側壁を備えた扁平状であり、前記軸筒の内部に２本の筆記体を前後方向に移動可能に収容し、前記各々の筆記体を後方に付勢する弾発体を前記軸筒内に収容し、前記軸筒の側壁に前後方向に延びる２本の窓孔を設け、前記軸筒の前端に各々の筆記体のペン先が出没可能な前端孔を設け、前記各々の筆記体の後端に操作体を連結し、前記各々の操作体が、操作部と、該操作部の反対側に形成される前側突出部及び後側突出部とを備え、前記軸筒内壁に、ペン先突出状態の筆記体の操作体の後端が係止される係止壁部を設け、前記各々の窓孔から外方に前記各々の操作体の操作部を突出させ、前記操作体の操作部を前記窓孔に沿って前後方向に移動可能とし、一つの操作体の操作部を窓孔に沿って前方にスライドさせることにより、その一つの操作体の前側突出部を先のペン先突出状態の他の筆記体の操作体の後側突出部に当接させ、前記他の筆記体の操作体の後端と係止壁部との係止状態を解除し、前記他の筆記体のペン先を軸筒内に没入させるとともに、前記スライド操作した操作体に連結された筆記体のペン先を軸筒の前端孔より外部に突出させてなることを特徴とする多芯筆記具。
【請求項２】
前記軸筒の各々の小側壁に前記窓孔を設けた請求項１記載の多芯筆記具。
【請求項３】
前記軸筒の各々の大側壁の内壁に前記係止壁部を設けた請求項１または２記載の多芯筆記具。
【請求項４】
前記軸筒の大側壁の外面に表示部を設けた請求項１乃至３の何れかに記載の多芯筆記具。
【請求項５】
前記軸筒の大側壁の外面にクリップを設けた請求項１乃至４の何れかに記載の多芯筆記具。
【請求項６】
前記軸筒の後端部に窓孔を後方に開口させる開閉自在の開口部を設け、前記開口部及び窓孔を介して筆記体と操作体とを連結状態で、軸筒内から取り外し可能且つ軸筒内に挿入可能に構成した請求項１乃至５の何れかに記載の多芯筆記具。
【請求項７】
前記窓孔の両側壁間の幅寸法を、筆記体の最大外径よりも大きく設定し、窓孔を介して筆記体と操作体とを、連結状態で、軸筒内から取り外し可能且つ軸筒内に挿入可能に構成した請求項１乃至５の何れかに記載の多芯筆記具。
【発明の詳細な説明】
【技術分野】
【０００１】
本発明は、多芯筆記具に関する。
【背景技術】
【０００２】
従来この種の多芯筆記具において、特許文献１には、スプリングで尾端側に弾発された２本のレフィールが軸筒内に収容されるとともに、該レフィールの尾端面が当接するカム面が前端に形成され、左右一対の操作部が軸筒の側部から突出した板状のカムが軸筒の尾端側に回動可能に取り付けられ、該操作部を押圧してカムを回動させると、一方のレフィールが前進し、レフィール先端のペン体が軸筒の先端開口から繰出する２芯筆記具が開示されている。また、特許文献１には、軸筒が偏平な形状の筒体であることが記載されている。
【先行技術文献】
【特許文献】
【０００３】
【特許文献１】実用新案登録第２５１１７４５号
【発明の概要】
【発明が解決しようとする課題】
【０００４】
前記文献１の多芯筆記具は、板状のカムを回動させる構成のため、カムの操作部を軸筒の外部に大きく突出させる。そのため、全体が嵩張りポケットやペンケース等への収納に不便であり、また、不用意な操作部の押圧によりペン先が突出するおそれがあり、しかも、外観デザインの自由度が低下し、優れた外観デザインを得ることが困難である。
【０００５】
本発明は、前記従来の問題点を解決するものであって、全体をコンパクトにしポケットやペンケース等への収納が容易となり、また、不用意な操作部の押圧を回避でき、しかも、優れた外観デザインを得ることができる多芯筆記具を提供しようとするものである。
尚、本発明において、「前」とはペン先側を指し、「後」とはその反対側を指し、「径方向」とは前後方向と垂直な方向を指す。
【課題を解決するための手段】
【０００６】
＜１＞本願の第１の発明は、軸筒２が、大面積を有する一対の大側壁２１と小面積を有する一対の小側壁２２とからなる側壁を備えた扁平状であり、前記軸筒２の内部に２本の筆記体６を前後方向に移動可能に収容し、前記各々の筆記体６を後方に付勢する弾発体８を前記軸筒２内に収容し、前記軸筒２の側壁に前後方向に延びる２本の窓孔４１を設け、前記軸筒２の前端に各々の筆記体６のペン先６１が出没可能な前端孔３１を設け、前記各々の筆記体６の後端に操作体７を連結し、前記各々の操作体７が、操作部７１と、該操作部７１の反対側に形成される前側突出部７２及び後側突出部７３とを備え、前記軸筒２内壁に、ペン先突出状態の筆記体６の操作体７の後端が係止される係止壁部４３を設け、前記各々の窓孔４１から外方に前記各々の操作体７の操作部７１を突出させ、前記操作体７の操作部７１を前記窓孔４１に沿って前後方向に移動可能とし、一つの操作体７の操作部７１を窓孔４１に沿って前方にスライドさせることにより、その一つの操作体７の前側突出部７２を先のペン先突出状態の他の筆記体６の操作体７の後側突出部７３に当接させ、前記他の筆記体６の操作体７の後端と係止壁部４３との係止状態を解除し、前記他の筆記体６のペン先６１を軸筒２内に没入させるとともに、前記スライド操作した操作体７に連結された筆記体６のペン先６１を軸筒の前端孔３１より外部に突出させてなることを要件とする。
【０００７】
前記第１の発明の多芯筆記具１は、操作体７を前後に移動させる構成であるため、操作部７１を軸筒２の外部に大きく突出させる必要がない。そのため、全体がコンパクトとなり、ポケットやペンケース等への収納に便利となり、また、不用意な操作部７１の押圧を回避でき、しかも、外観デザインの自由度が増大し、優れた外観デザインを容易に得ることができる。
【０００８】
尚、本発明で、前記扁平状の軸筒２とは、横断面が、長方形、楕円形、長円形、細長形状等が挙げられる。前記扁平状の軸筒２は、少なくとも、対向する一対の大側壁２１と、対向する一対の小側壁２２を備える。前記大側壁２１、前記小側壁２２の各々は、平面、凸曲面、凹曲面であってもよい。
【０００９】
＜２＞本願の第２の発明の多芯筆記具１は、前記第１の発明において、前記軸筒２の各々の小側壁２２に前記窓孔４１を設けたことを要件とする。
【００１０】
前記第２の発明の多芯筆記具１は、軸筒２の各々の小側壁２２に窓孔４１を設けたことにより、大側壁２１に窓孔４１を設ける場合に比べ、より一層、全体がコンパクトとなり、ポケットやペンケース等への収納に便利となる。もし、大側壁２１に窓孔４１を設けた場合、筆記具全体の径方向の寸法が大きくなってしまう。
【００１１】
＜３＞本願の第３の発明の多芯筆記具１は、前記第１または第２の発明において、前記軸筒２の各々の大側壁２１の内壁に前記係止壁部４３を設けたことを要件とする。
【００１２】
前記第３の発明の多芯筆記具１は、軸筒２の各々の大側壁２１の内壁に前記係止壁部４３を設けたことにより、より一層、全体がコンパクトとなり、ポケットやペンケース等への収納に便利となる。もし、小側壁２２の内壁に係止壁部４３を設けた場合、筆記具全体の径方向の寸法が大きくなってしまう。尚、前記係止壁部４３は、軸筒２の内壁に一体に形成されてもよいし、軸筒２への別部材の取り付けによって設けてもよい。
【００１３】
＜４＞本願の第４の多芯筆記具１は、第１乃至第３の何れかの発明において、前記軸筒２の大側壁２１の外面に表示部２３を設けたことを要件とする。
【００１４】
前記第４の発明の多芯筆記具１は、軸筒２の大側壁２１の外面に表示部２３を設けたことにより、大きな表示部２３を設けることができ、表示部２３の視認性が向上する。尚、前記表示部２３とは、例えば、商品名、商品の説明、注意書き、製造記号、販売元、バーコード等のコードデータ、所有者の氏名、名入れ等の宣伝広告（法人名、商品名）、インキ色表示、ペン先サイズ、筆跡幅、ペン先種類、等を表す文字、記号、図形、図柄、模様等が挙げられる。尚、前記表示部２３は、印刷、シール貼付、凸設、凹設等の手段により設けられる。
【００１５】
＜５＞本願の第５の多芯筆記具１は、第１乃至第４の何れかの発明において、前記軸筒２の大側壁２１の外面にクリップ４４を設けたことを要件とする。
【００１６】
前記第５の発明の多芯筆記具１は、大側壁２１の外面にクリップ４４を設けたことにより、手帳やノート等にクリップ４４を介して取り付けることができる。しかも、前記第５の発明の多芯筆記具１は、大側壁２１の外面にクリップ４４を設けたことにより、手帳やノート内に挟んだ状態でも手帳やノートが大きく膨らむこがなく、手帳やノート等の携帯が容易となる。
【００１７】
＜６＞本願の第６の多芯筆記具１は、第１乃至第５の何れかの発明において、軸筒２の後端部に窓孔４１を後方に開口させる開閉自在の開口部４２を設け、前記開口部４２及び窓孔４１を介して筆記体６と操作体７とを連結状態で、軸筒２内から取り外し可能且つ軸筒２内に挿入可能に構成したことを要件とする。
【００１８】
前記第６の発明の多芯筆記具１は、ユーザーが好みの筆記体６及びそれに対応した操作体７を軸筒２に収容することができる。特に、前記第６の発明の多芯筆記具１は、軸筒２が扁平状であるため、筆記体６を挿入する際、軸筒２の大側壁２１の両側を把持するだけで、窓孔４１及び開口部４２の向きを容易に一定にでき、且つ、挿入前の操作体７の向きと軸筒２の向きとを容易に合わせることができ、筆記体６及び操作体７の挿入作業が迅速となる。
【００１９】
＜７＞本願の第７の多芯筆記具１は、第１乃至第５の何れかの発明において、前記窓孔４１の両側壁間の幅寸法を、筆記体６の最大外径よりも大きく設定し、窓孔４１を介して筆記体６と操作体７とを、連結状態で、軸筒２内から取り外し可能且つ軸筒２内に挿入可能に構成したことを要件とする。
【００２０】
前記第７の発明の多芯筆記具１は、ユーザーが好みの筆記体６及びそれに対応した操作体７を軸筒２に収容することができる。特に、前記第７の発明の多芯筆記具１は、軸筒２が扁平状であるため、筆記体６を挿入する際、軸筒２の大側壁２１の両側を把持するだけで、窓孔４１の向きを容易に一定にでき、且つ、挿入前の操作体７の向きと軸筒２の向きとを容易に合わせることができ、筆記体６及び操作体７の挿入作業が迅速となる。
【００２１】
尚、本発明で、筆記体６は、例えば、ボールペン、マーキングペン、サインペン、万年筆、シャープペンシル、感圧式入力装置に用いる入力ペン等が挙げられる。
【００２２】
尚、本発明において、複数本の軸筒２を互いに連結可能に構成することもできる。
【発明の効果】
【００２３】
本発明の多芯筆記具は、全体をコンパクトにしポケットやペンケース等への収納が容易となり、また、不用意な操作部の押圧を回避でき、しかも、優れた外観デザインを得ることができる。
【図面の簡単な説明】
【００２４】
【図１】本発明の第１の実施の形態の非筆記時（両方のペン先が没入状態）の縦断面図である。
【図２】図１の筆記時（片方のペン先が突出状態）の縦断面図である。
【図３】図１の開口部が閉鎖した状態の側面図である。
【図４】図１の開口部が開口した状態の側面図である。
【図５】図３のＡ−Ａ線拡大断面図である。
【図６】図３のＢ−Ｂ線拡大断面図である。
【図７】本発明の第２の実施の形態の非筆記時（両方のペン先が没入状態）の側面図である。
【図８】図７の要部拡大縦断面図である。
【図９】図７のＣ−Ｃ線拡大断面図である。
【図１０】図７の後軸の側面図である。
【図１１】図１０の後軸の縦断面図である。
【図１２】図１０の後軸の斜視図である。
【発明を実施するための形態】
【００２５】
＜第１の実施の形態＞
図１乃至図６に本発明の第１の実施の形態を示す。
本実施の形態の多芯筆記具１は、軸筒２内に２本の筆記体６が前後方向に移動可能に収容されている。前記各々の筆記体６は、弾発体８（具体的には圧縮コイルスプリング）により、後方に付勢されている。
【００２６】
（軸筒）
前記軸筒２は、扁平状（横断面が略長方形状）であり、扁平状の前軸３と、該前軸３の後端部と連結される扁平状の後軸４とからなる。前記前軸３及び後軸４は、合成樹脂（例えば、ポリカーボネイト等）の射出成形により得られる。本実施の形態では、前軸３と後軸４は、弾発体支持部９を介して連結される。
【００２７】
前記軸筒２(前軸３及び後軸４)は、大面積を有する一対の大側壁２１と、小面積を有する一対の小側壁２２とからなる側壁を備える。前記前軸３の前端には、筆記体６のペン先６１が突出可能な２個の前端孔３１が前後方向に貫設される。前記２個の前端孔３１は、ペン先下向きで大側壁２１を正面視したときの大側壁２１の中心線に対して左右対称位置に設けられる。本発明は、これ以外にも、前記前端孔３１は大側壁２１の中心線上に１個、設ける構成であってもよい。
【００２８】
前記軸筒２（後軸４）の後部の各々小側壁２２には、前後方向に延びる細長状の窓孔４１が、径方向に貫設される。前記２本の窓孔４１は、互いに、大側壁２１の中心線に対して左右対称位置に形成される。また、前記軸筒２（後軸４）の後端部には、前後方向に貫通し且つ径方向外方に開口する開口部４２が形成される。前記開口部４２は、軸筒２の後端（即ち後軸４の後端）において窓孔４１と連通され、それにより、窓孔４１後端が後方に切り欠かれ後方に開口されている。一方、前記窓孔４１の前端は常時閉鎖されている。
【００２９】
前記開口部４２の両側の内壁には、操作体７の挿入時、操作体７の側面と摺動し、操作体７の側面の向きを規制するガイド部４２１が形成される。前記ガイド部４２１は、操作体７の操作部７１が径方向外方に向いた状態でのみ、挿入可能な形状に設定される。
【００３０】
前記後軸４の窓孔４１の相互間の各々の大側壁２１内面には、前後方向に延びるリブよりなる係止壁部４３が形成され、前記係止壁部４３に、ペン先６１が突出した際の筆記体６の操作体７の後端が係止される。さらに、前記後軸４の窓孔４１の相互間の各々の大側壁２１内面には、前記係止壁部４３よりも前方に延設される、前後方向に延びる規制壁部が形成される。前記規制壁部４７に、ペン先６１が突出した際の筆記体６の操作体７の係止突起７６が当接する。また、前記規制壁部４７により、筆記体６を取り除いた状態において、弾発体８同士の接触を回避できる。前記係止壁部４３、前記規制壁部４７の各々は、後軸４内壁と一体に形成されてもよいし、後軸４内壁に取り付けた別部材により形成してもよい。
【００３１】
前記後軸４の小側壁２２の相互間（窓孔４１の相互間）の一方の大側壁２１外面には、クリップ４４が設けられる。
【００３２】
前記後軸４の小側壁２２の相互間（窓孔４１の相互間）の大側壁２１外面には、表示部２３が設けられる。前記表示部２３は、例えば、商品名、商品の説明、注意書き、製造記号、販売元、バーコード等のコードデータ、所有者の氏名、名入れ等の宣伝広告（法人名、商品名）、インキ色表示、ペン先サイズ、筆跡幅、ペン先種類、等を表す文字、記号、図形、図柄、模様等が挙げられる。尚、前記表示部２３は、印刷、シール貼付、凸設、凹設等の手段により設けられる。
【００３３】
（蓋部）
前記後軸４の後端部には、前記開口部４２を開閉自在にする蓋部５が回動自在に設けられる。前記蓋部５の一端部は、クリップ４４基部に、ヒンジ部５２により回動自在に取り付けられる。前記ヒンジ部５２は、ペン先下向きでクリップ４４を正面視したときのクリップ４４の左右方向に延設され、それにより、前記蓋部５は、略前後方向に回動自在となる。前記蓋部５の前面には、当接壁部５１が形成される。前記当接壁部５１に、没入状態の筆記体６の後端に連結された各々の操作体７の後端が、衝止される。本実施の形態では、前記ヒンジ部５２は、具体的には、回動軸により回動自在に接続される構成が採用されているが、これ以外にも、屈曲変形可能な可撓性を有する連結部または薄肉部により一体に接続される構成であってもよい。
【００３４】
前記蓋部５の他端部の前面には、係合部５３（具体的には係合凹部または係合孔部）が設けられる。後軸４の後端には、前記係合部５３と係合可能な被係合部４５（具体的には係合凸部）が設けられる。前記係合部５３と前記被係合部４５とは、蓋部５が開口部４２を閉鎖した際、互いに係合状態にあり、弾発体８の後方への付勢による操作体７と蓋部５前面の当接壁部５１との当接では、その係合状態は解除されず、蓋部５が開くことはない。
【００３５】
前記係合部５３と被係合部４５の構成以外にも、前記係合部５３が係合凸部よりなり、前記被係合部４５が係合凹部または係合孔部からなる構成でもよい。前記係合部５３と被係合部４５の構成は、一方が凸部であり且つ他方が凹部または孔部である構成により、後方に開口された窓孔４１により複数に分割された軸筒２後端部（後軸４後端部）が、径方向に変形することが抑えられ、筆記使用時（開口部４２の閉鎖時）、窓孔４１の形状を適正に維持できる。
【００３６】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００３７】
また、前記ボールペンチップは、前端に回転可能に抱持されたボールを弾発体等により前方に付勢し、前端縁部の内面にボールを密接させる構成でもよい。また、ボールペンチップは、インキ収容管６２の前端開口部に圧入等により直接、取り付けてもよいが、本実施の形態ではペン先ホルダーを介してインキ収容管６２の前端開口部に固着される。
【００３８】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の反対側に設けられる後側突出部７３と、該操作部７１の反対側の後側突出部７３の前方に設けられる前側突出部７２と、前端部に形成され且つインキ収容管６２の後端開口部に嵌入される嵌入部７４と、該嵌入部７４の後方に形成される鍔部７５とを備える。前記嵌入部７４は、インキ収容管６２の後端開口部に嵌入された際、インキ収容管６２の後端開口部を完全には塞がず、インキ収容管６２の内部と外部とを通気可能にする。また、前記鍔部７５の前面には、弾発体８の後端が係止される。また、前記操作体７の両方の側面には係止突起７６が形成される。前記係止突起７６は窓孔４１の両方の側壁内面に係合可能である。
【００３９】
筆記体６のペン先６１が没入状態のとき、その筆記体６に取り付けられた操作体７の後端部は、蓋部５の前面に形成された当接壁部５１に衝止される。一方、筆記体６のペン先６１が突出状態のとき、その筆記体６に取り付けられた操作体７の後端部は、軸筒２の内壁に形成された係止壁部４３に係止される。
【００４０】
ペン先没入状態にある筆記体６の後端に連結された操作体７の前側突出部７２は、その操作体７の操作部７１を前方にスライド操作した際、先にペン先突出状態にある他の筆記体６の後端に連結された操作体７の後側突出部７３と当接され、他の筆記体６のペン先突出状態が解除される。
【００４１】
前記各々の操作体７は、連結される筆記体６の内部（即ちインキ収容管６２内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。
【００４２】
また、各々の筆記体６がペン先６１のボールのサイズが互いに異なるボールペンの場合、ペン先６１のボールの外径寸法を表す数字よりなる識別表示を、操作体７の操作部７１に設けることが好ましい。また、各々の筆記体６がペン先６１の形状が互いに異なる筆記具の場合、ペン先６１の形状に対応した識別表示を、操作体７の操作部７１に設けることが好ましい。また、前記ペン先６１のボールの外径寸法を表す数字からなる識別表示、及びペン先６１の形状に対応した識別表示は、前記インキ色に着色された操作体７の操作部７１に設けることもできる。前記識別表示は、印刷、シール貼付、凸設、凹設等の手段により、操作体７に設けられる。
【００４３】
（弾発体支持部）
軸筒２の内壁（即ち後軸４の内壁及び前軸３の内壁）には、弾発体支持部９が設けられる。前記弾発体支持部９は、筆記体６が挿通される２個の内孔９１が前後方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。
【００４４】
前記各々の弾発体８は、各々の操作体７（即ち各々の筆記体６）を、常時、後方に付勢している。前記各々の弾発体８は、ペン先突出状態及びペン先没入状態のいずれにおいても圧縮状態（即ち筆記体６が後方に付勢された状態）にあり、それにより、各々の操作体７の前後のがたつきが防止される。
【００４５】
（ペン先の出没）
本実施の形態におけるペン先６１の出没作動について説明する（図１及び図２参照）。
一つの操作体７の操作部７１を弾発体８の後方付勢に抗して窓孔４１に沿って前方にスライド操作すると、そのスライド操作された操作体７の前側突出部７２が、先にペン先突出状態にある他の筆記体６の操作体７の後側突出部７３を径方向外方に持ち上げる。それにより、軸筒２内壁の係止壁部４３と操作体７との係止状態が解除され、他の筆記体６が弾発体８の後方付勢により後方に移動され、他の筆記体６のペン先６１が軸筒２内に没入され、他の筆記体６の操作体７の後端が蓋部５の前面の当接壁部５１に当接衝止される。前記他の筆記体６のペン先６１の没入と同時に、前記前方にスライド操作した操作体７に連結された筆記体６のペン先６１が、軸筒２の前端孔３１より外部に突出されるとともに、前方にスライド操作された操作体７の後端が軸筒２内壁の係止壁部４３に係止され、そのペン先突出状態が維持される。
【００４６】
（筆記体及び操作体の交換）
本実施の形態における筆記体６及び操作体７の交換について説明する。
筆記体６を交換する際、蓋部５が軸筒２の後端の開口部４２を閉鎖した状態（図３参照）から、蓋部５のヒンジ部５２と反対側の操作端部を後方に押圧し、係合部５３と被係合部４５との係合を解除し、蓋部５を後方に回動させ、軸筒２の後端の開口部４２を開口する（図４参照）。前記開口部４２を開口させると、前記開口部４２から各々の操作体７が、弾発体８の後方付勢により後方外部に突出される。前記軸筒２の後端の開口部４２が開口した状態で、操作体７を取り出すことにより、その操作体７と互いに連結状態にある筆記体６を前記開口部４２を介して軸筒２内から取り出し、その後、互いに連結状態にある新たな筆記体６と新たな操作体７とを前記開口部４２を介して軸筒２内に挿入する。そして、蓋部５の当接壁部５１に各々の操作体７の後端を当接させ、各々の操作体７を前方に押圧しながら蓋部５を前方に回動させ、その後、係合部５３と被係止部４５とを係合させ、開口部４２を閉鎖する。これにより、筆記体６及び操作体７の交換作業が終了する。
【００４７】
本実施の形態において、軸筒２の長径をＤ１の筆記体６の外径Ａに対する比（Ｄ１／Ａ）が、３〜４の範囲であり、且つ、軸筒２の短径をＤ２の筆記体の外径Ａに対する比（Ｄ２／Ａ）が、１．５〜２．５の範囲である。
【００４８】
本実施の形態の多芯筆記具１は、操作体を前後に移動させる構成であるため、操作部７１を軸筒２の外部に大きく突出させる必要がない。そのため、全体がコンパクトとなり、ポケットやペンケース等への収納に便利となり、また、不用意な操作部７１の押圧を回避でき、しかも、外観デザインの自由度が増大し、優れた外観デザインを容易に得ることができる。
【００４９】
本実施の形態の多芯筆記具１は、軸筒２の各々の小側壁２２に窓孔４１を設けたことにより、大側壁２１に窓孔４１を設ける場合に比べ、より一層、全体がコンパクトとなり、ポケットやペンケース等への収納に便利となる。
【００５０】
本実施の形態の多芯筆記具１は、軸筒２の各々の大側壁２１の内壁に前記係止壁部４３を設けたことにより、より一層、全体がコンパクトとなり、ポケットやペンケース等への収納に便利となる。
【００５１】
本実施の形態の多芯筆記具１は、軸筒２の大側壁２１の外面に表示部２３を設けたことにより、大きな表示部２３を設けることができ、表示部２３の視認性が向上する。
【００５２】
本実施の形態の多芯筆記具１は、大側壁２１の外面にクリップ４４を設けたことにより、手帳やノート等にクリップ４４を介して取り付けることができる。しかも、前記第５の発明の多芯筆記具１は、大側壁２１の外面にクリップ４４を設けたことにより、手帳やノート内に挟んだ状態でも手帳やノートが大きく膨らむこがなく、手帳やノート等の携帯が容易となる。
【００５３】
本実施の形態の多芯筆記具１は、軸筒２の後端部に窓孔４１を後方に開口させる開閉自在の開口部４２を設け、前記開口部４２及び窓孔４１を介して筆記体６と操作体７とを連結状態で、軸筒２内から取り外し可能且つ軸筒２内に挿入可能に構成される。それにより、ユーザーが好みの筆記体６及びそれに対応した操作体７を軸筒２に収容することができる。特に、本実施の形態の多芯筆記具１は、軸筒２が扁平状であるため、筆記体６を挿入する際、軸筒２の大側壁２１の両側を把持するだけで、窓孔４１及び開口部４２の向きを容易に一定にでき、且つ、挿入前の操作体７の向きと軸筒２の向きとを容易に合わせることができ、筆記体６及び操作体７の挿入作業が迅速となる。
【００５４】
＜第２の実施の形態＞
図７乃至図１２に本発明の第２の実施の形態を示す。
本実施の形態の多芯筆記具１は、軸筒２内に２本の筆記体６が前後方向に移動可能に収容されている。前記各々の筆記体６は、弾発体８（具体的には圧縮コイルスプリング）により、後方に付勢されている。
【００５５】
（軸筒）
前記軸筒２は、扁平状（略長方形状）であり、扁平状の前軸３と、該前軸３の後端部と連結される扁平状の後軸４とからなる。前記前軸３及び後軸４は、合成樹脂（例えば、ポリカーボネイト等）の射出成形により得られる。本実施の形態では、前軸３の後端部外面と後軸４の前端部内面とが嵌合により連結される。
【００５６】
前記軸筒２(前軸３及び後軸４)は、大面積を有する一対の大側壁２１と、小面積を有する一対の小側壁２２とからなる側壁を備える。前記前軸３の前端には、筆記体６のペン先６１が突出可能な２個の前端孔３１が前後方向に貫設される。前記２個の前端孔３１は、ペン先下向きで大側壁２１を正面視したときの大側壁２１の中心線に対して左右対称位置に設けられる。前記前端孔３１は大側壁２１の中心線上に１個、設ける構成であってもよい。
【００５７】
前記軸筒２（後軸４）の後部の各々小側壁２２には、前後方向に延びる細長状の窓孔４１が、径方向に貫設される。前記２本の窓孔４１は、互いに、大側壁２１の中心線に対して左右対称位置に形成される。
【００５８】
前記後軸４の窓孔４１の相互間の各々の大側壁２１内面には、前後方向に延びるリブよりなる係止壁部４３が形成され、前記係止壁部４３に、ペン先６１が突出した際の筆記体６の操作体７の後端が係止される。さらに、前記後軸４の窓孔４１の相互間の各々の大側壁２１内面には、前記係止壁部４３よりも前方に延設される、前後方向に延びる規制壁部が形成される。前記規制壁部に、ペン先６１が突出した際の筆記体６の操作体７が当接する。また、前記規制壁部により、筆記体６を取り除いた状態において、弾発体８同士の接触を回避できる。前記係止壁部４３、規制壁部は、後軸４内壁と一体に形成されてもよいし、後軸４内壁に取り付けた別部材により形成してもよい。
【００５９】
前記後軸４の小側壁２２の相互間（窓孔４１の相互間）の一方の大側壁２１外面には、クリップ４４が設けられる。
【００６０】
前記後軸４の小側壁２２の相互間（窓孔４１の相互間）の大側壁２１外面には、表示部２３が設けられる。前記表示部２３は、例えば、商品名、商品の説明、注意書き、製造記号、販売元、バーコード等のコードデータ、所有者の氏名、名入れ等の宣伝広告（法人名、商品名）、インキ色表示、ペン先サイズ、筆跡幅、ペン先種類、等を表す文字、記号、図形、図柄、模様等が挙げられる。尚、前記表示部２３は、印刷、シール貼付、凸設、凹設等の手段により設けられる。
【００６１】
前記窓孔４１は、幅狭部４１１と、該幅狭部４１１の幅寸法より広い幅寸法を有する幅広部４１２とを備える。前記幅広部４１２が、幅狭部４１１の後方に連設される。前記幅広部４１２の内面（幅広部４１２の前面及び後面）には、抜け止め突起４１３が前後に配置される。
【００６２】
本実施の形態では、前記幅広部４１２が、幅狭部４１１の後方に連設される構成であるが、これ以外にも、前記幅広部４１２が、幅狭部４１１の前方に連設される構成でもよい。また、本実施の形態では、幅広部４１２の内面に、抜け止め突起４１３が前後に配置される構成であるが、これ以外にも、幅広部４１２または幅狭部４１１の内面に、一対の抜け止め突起４１３が前後に配置される構成でもよい。前記係止壁部４３の前端が、前記幅狭部４１１の内方に位置している。
【００６３】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００６４】
また、前記ボールペンチップは、前端に回転可能に抱持されたボールを弾発体等により前方に付勢し、前端縁部の内面にボールを密接させる構成でもよい。また、ボールペンチップは、インキ収容管６２の前端開口部に圧入等により直接、取り付けてもよいが、本実施の形態ではペン先６１ホルダーを介してインキ収容管６２の前端開口部に固着される。
【００６５】
筆記体６の最大外径（例えば、ペン先の外径、ペン先ホルダーの外径、インキ収容管６２の外径の最大値）は、窓孔４１の幅狭部４１１の幅寸法より小さく設定される。それにより、幅狭部４１１を介して、筆記体６を軸筒２外部に取り出し可能且つ筆記体６を軸筒２内に挿入可能となる。
【００６６】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の反対側に設けられる後側突出部７３と、該操作部７１の反対側の後側突出部７３の前方に設けられる前側突出部７２と、前端部に形成され且つインキ収容管６２の後端開口部に嵌入される嵌入部７４と、該嵌入部７４の後方に形成される鍔部７５とを備える。前記嵌入部７４は、インキ収容管６２の後端開口部に嵌入された際、インキ収容管６２の後端開口部を完全には塞がず、インキ収容管６２の内部と外部とを通気可能にする。また、前記鍔部７５の前面には、弾発体８の後端が係止される。また、前記操作体７の両方の側面には係止突起７６が形成される。前記係止突起７６は窓孔４１の両方の側壁内面に係合可能である。
【００６７】
筆記体６のペン先６１が没入状態のとき、その筆記体６に取り付けられた操作体７の後端部は、蓋部５の前面に形成された当接壁部５１に衝止される。一方、筆記体６のペン先６１が突出状態のとき、その筆記体６に取り付けられた操作体７の後端部は、軸筒２の内壁に形成された係止壁部４３に係止される。
【００６８】
ペン先没入状態にある筆記体６の後端に連結された操作体７の前側突出部７２は、その操作体７の操作部７１を前方にスライド操作した際、先にペン先突出状態にある他の筆記体６の後端に連結された操作体７の後側突出部７３と当接され、他の筆記体６のペン先突出状態が解除される。
【００６９】
前記各々の操作体７は、連結される筆記体６の内部（即ちインキ収容管６２内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。
【００７０】
また、各々の筆記体６がペン先６１のボールのサイズが互いに異なるボールペンの場合、ペン先６１のボールの外径寸法を表す数字よりなる識別表示を、操作体７の操作部７１に設けることが好ましい。また、各々の筆記体６がペン先６１の形状が互いに異なる筆記具の場合、ペン先６１の形状に対応した識別表示を、操作体７の操作部７１に設けることが好ましい。また、前記ペン先６１のボールの外径寸法を表す数字からなる識別表示、及びペン先６１の形状に対応した識別表示は、前記インキ色に着色された操作体７の操作部７１に設けることもできる。前記識別表示は、印刷、シール貼付、凸設、凹設等の手段により、操作体７に設けられる。
【００７１】
前記係止突起７６の相互間の幅寸法は、幅狭部４１１の幅寸法より大きく設定され且つ幅広部４１２の幅寸法より小さく設定される。それにより、係止突起７６が幅狭部４１１の内面に係止可能となるとともに、係止突起７６が幅広部４１２内に挿入可能となる。
【００７２】
前記係止突起７６の前後方向の長さは、抜け止め突起４１３の相互間の最小距離より僅かに大きく設定される。それにより、係止突起７６が、抜け止め突起４１３の相互間を乗り越えることができる。前記係止突起７６が抜け止め突起４１３の相互間を乗り越える際、幅広部４１２の前後方向に一時的に大きく弾性変形し、抜け止め突起４１３相互間の距離が一時的に大きく変化する。
【００７３】
前記操作体７の係止突起７６以外の幅寸法（肉厚寸法）は、幅狭部４１１の幅寸法より小さく設定される。それにより、操作部７１が窓孔４１より外部に突出状態で窓孔４１に沿って前後に摺動可能となるとともに、幅狭部４１１を介して、操作体７全体を軸筒２内に挿入可能且つ操作体７を軸筒２内から外部に取り出し可能となる。
【００７４】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００７５】
（識別表示）
前記各々の操作体７は、連結される筆記体６の内部（即ちインキ収容管６２内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。
【００７６】
また、各々の筆記体６がペン先６１のボールのサイズが互いに異なるボールペンの場合、ペン先６１のボールの外径寸法を表す数字よりなる識別表示を、操作体７の操作部７１に設けることが好ましい。また、各々の筆記体６がペン先６１の形状が互いに異なる筆記具の場合、ペン先６１の形状に対応した識別表示を、操作体７の操作部７１に設けることが好ましい。また、前記ペン先６１のボールの外径寸法を表す数字からなる識別表示、及びペン先６１の形状に対応した識別表示は、前記インキ色に着色された操作体７の操作部７１に設けることもできる。前記識別表示は、印刷、シール貼付、凸設、凹設等の手段により、操作体７に設けられる。
【００７７】
（弾発体支持部）
軸筒２の内壁（即ち後軸４の内壁）には、弾発体支持部９が設けられる。前記弾発体支持部９は、筆記体６が挿通される２個の内孔９１が前後方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。
【００７８】
前記各々の弾発体８は、各々の操作体７（即ち各々の筆記体６）を、常時、後方に付勢している。前記各々の弾発体８は、ペン先突出状態及びペン先没入状態のいずれにおいても圧縮状態（即ち筆記体６が後方に付勢された状態）にあり、それにより、各々の操作体７の前後のがたつきが防止される。
【００７９】
（ペン先の出没）
本実施の形態におけるペン先６１の出没作動について説明する。
一つの操作体７の操作部７１を弾発体８の後方付勢に抗して窓孔４１（幅狭部４１１）に沿って前方にスライド操作すると、そのスライド操作された操作体７の前側突出部７２が、先に突出状態にある他の筆記体６の操作部７１の後側突出部７３を径方向外方に持ち上げる。それにより、軸筒２内壁の係止壁部４３と操作体７との係止状態が解除され、他の筆記体６が弾発体８の後方付勢により後方に移動され、他の筆記体６のペン先６１が軸筒２内に没入され、他の筆記体６の操作部７１の後端が窓孔４１後端の当接壁部４６に当接衝止される。前記他の筆記体６のペン先６１の没入と同時に、前記前方にスライド操作した操作体７に連結された筆記体６のペン先６１が、軸筒２の前端孔３１より外部に突出されるとともに、前方にスライド操作された操作体７の後端が軸筒２内壁の係止壁部４３に係止され、そのペン先突出状態が維持される。
【００８０】
（筆記体及び操作体の交換）
本実施の形態における筆記体６及び操作体７の交換について説明する。
筆記体６を交換する際、筆記体６を軸筒２内においてペン先没入状態にし、窓孔４１から突出する操作体７の操作部７１を指で挟持し、操作体７を径方向外方に引っ張り上げる。それにより、操作体７の係止突起７６が抜け止め突起４１３を径方向外方に乗り越え、係止突起７６が窓孔４１の幅広部４１２を通して外部に取り出され、それと同時に、操作体７を、窓孔４１（幅狭部４１１及び幅広部４１２）を介して外部に取り出すことができる。操作体７を軸筒２内から取り出すことにより、その操作体７と互いに連結状態にある筆記体６を、前記窓孔４１（幅狭部４１１）を介して軸筒２内から取り出すことができる。
【００８１】
その後、新たな筆記体６と互いに連結状態にある新たな操作体７の操作部７１を挟持し、窓孔４１の幅狭部４１１から軸筒２内に新たな筆記体６を挿入し、新たな操作体７の係止突起７６を窓孔４１の幅広部４１２に挿入し、操作体７を径方向内方に押し込むことにより、係止突起７６が抜け止め突起４１３を径方向内方に乗り越え、操作体７が軸筒２内に適正に収容配置される。それにより、筆記体６及び操作体７の交換作業が終了する。
【００８２】
本実施の形態において、軸筒２の長径をＤ１の筆記体６の外径Ａに対する比（Ｄ１／Ａ）が、３〜４の範囲であり、且つ、軸筒２の短径をＤ２の筆記体の外径Ａに対する比（Ｄ２／Ａ）が、１．５〜２．５の範囲である。
【００８３】
本実施の形態の多芯筆記具１は、操作体７を前後に移動させる構成であるため、操作部７１を軸筒２の外部に大きく突出させる必要がない。そのため、全体がコンパクトとなり、ポケットやペンケース等への収納に便利となり、また、不用意な操作部７１の押圧を回避でき、しかも、外観デザインの自由度が増大し、優れた外観デザインを容易に得ることができる。
【００８４】
本実施の形態の多芯筆記具１は、軸筒２の各々の小側壁２２に窓孔４１を設けたことにより、大側壁２１に窓孔４１を設ける場合に比べ、より一層、全体がコンパクトとなり、ポケットやペンケース等への収納に便利となる。
【００８５】
本実施の形態の多芯筆記具１は、軸筒２の各々の大側壁２１の内壁に前記係止壁部４３を設けたことにより、より一層、全体がコンパクトとなり、ポケットやペンケース等への収納に便利となる。
【００８６】
本実施の形態の多芯筆記具１は、軸筒２の大側壁２１の外面に表示部２３を設けたことにより、大きな表示部２３を設けることができ、表示部２３の視認性が向上する。
【００８７】
本実施の形態の多芯筆記具１は、大側壁２１の外面にクリップ４４を設けたことにより、手帳やノート等にクリップ４４を介して取り付けることができる。しかも、前記第５の発明の多芯筆記具１は、大側壁２１の外面にクリップ４４を設けたことにより、手帳やノート内に挟んだ状態でも手帳やノートが大きく膨らむこがなく、手帳やノート等の携帯が容易となる。
【００８８】
本実施の形態の多芯筆記具１は、窓孔４１の両側壁間の幅寸法を、筆記体６の最大外径よりも大きく設定し、窓孔４１を介して筆記体６と操作体７とを、連結状態で、軸筒２内から取り外し可能且つ軸筒２内に挿入可能に構成される。それにより、ユーザーが好みの筆記体６及びそれに対応した操作体７を軸筒２に収容することができる。特に、本実施の形態の多芯筆記具１は、軸筒２が扁平状であるため、筆記体６を挿入する際、軸筒２の大側壁２１の両側を把持するだけで、窓孔４１の向きを容易に一定にでき、且つ、挿入前の操作体７の向きと軸筒２の向きとを容易に合わせることができ、筆記体６及び操作体７の挿入作業が迅速となる。
【符号の説明】
【００８９】
１  多芯筆記具
２  軸筒
２１  大側壁
２２  小側壁
２３  表示部
３  前軸
３１  前端孔
４  後軸
４１  窓孔
４１１  幅狭部
４１２  幅広部
４１３  抜け止め突起
４２  開口部
４２１  ガイド部
４３  係止壁部
４４  クリップ
４５  被係合部
４６  当接壁部
４７  規制壁部
５  蓋部
５１  当接壁部
５２  ヒンジ部
５３  係合部
６  筆記体
６１  ペン先（ボールペンチップ）
６２  インキ収容管
７  操作体
７１  操作部
７２  前側突出部
７３  後側突出部
７４  嵌入部
７５  鍔部
７６  係止突起
８  弾発体
９  弾発体支持部
９１  内孔
Ｄ１  軸筒の長径（大側壁の幅寸法）
Ｄ２  軸筒の短径（小側壁の幅寸法）
【図１】
2010264660.tif 000003
【図２】
2010264660.tif 000004
【図３】
2010264660.tif 000005
【図４】
2010264660.tif 000006
【図５】
2010264660.tif 000007
【図６】
2010264660.tif 000008
【図７】
2010264660.tif 000009
【図８】
2010264660.tif 000010
【図９】
2010264660.tif 000011
【図１０】
2010264660.tif 000012
【図１１】
2010264660.tif 000013
【図１２】
2010264660.tif 000014